(57)【要約】【課題】電子レンジ機能とガスオーブン機能の同時調理時の制御回路構成を簡素化すること。【解決手段】本発明は上記課題を解決するために電子レンジ機能の高圧回路をインバーター化したうえで同時調理時の弱出力時でも制御リレーのＯＮ状態を継続させることによって調理物を回転させるためのターンテーブルモータ６と動作を同期させ、制御リレー８を共用する回路構成にすることにより、簡素化された安価な複合加熱調理機器が得られる。【選択図】  図１
2005030612.tif 000002
【特許請求の範囲】
【請求項１】
電子レンジ機能とガスオーブン機能とを備えた複合加熱調理機器において、前記電子レンジ機能の高周波出力回路としたインバーター回路の一次側入力を入切する制御リレーと、調理中に調理物を回転させるターンテーブルモータを入切する制御リレーとを共用する構成とし、同時調理時の電子レンジ出力を最高出力よりも小さい出力の連続出力として制御リレーは同時調理時は常にＯＮ状態とした複合加熱調理機器。
【請求項２】
電子レンジ機能とガスオーブン機能とを備えた複合加熱調理機器において、前記電子レンジ機能の高周波出力回路としたインバーター回路の一次側入力を入切する制御リレーと、調理中に調理物を回転させるターンテーブルモータを入切する制御リレーとを共用する構成とし、同時調理機能の電子レンジ出力を最高出力または最高出力より小さい弱出力の断続出力とし、同時調理時の電子レンジ断続出力はインバーター回路へのマイコン信号により制御して、前記制御リレーは同時調理時は常にＯＮ状態とした複合加熱調理機器。
【請求項３】
インバーター回路の電気部品を冷却する冷却ファンモータを備え、前期冷却ファンモータを入切する制御リレーと前記インバーター回路の一次側入力を入切する制御リレーと、調理物を回転させるターンテーブルモータを入切する制御リレーとを共用する構成とし、同時調理時の調理物回転と電子レンジの動作および冷却ファンモータの動作を一つのリレーで制御するようにした請求項１または２記載の複合加熱調理機器。
【発明の詳細な説明】
【０００１】
【発明の属する技術分野】
本発明は、電子レンジ機能とガスオーブン機能を備えた複合加熱調理機器の回路構成に関するものである。
【０００２】
【従来の技術】
従来、電子レンジ機能とガスオーブン機能を備えた複合加熱調理機器は図３に示すように、電子レンジの高圧回路は高圧を発生する高圧トランス１と高周波を発振するマグネトロン２と高圧コンデンサ３と高圧ダイオード４から構成されている。また、前記高圧回路を冷却する冷却ファンモータ５、調理物を回転させるターンテーブルモータ６を備えており、制御基板７上の制御リレー８，９，１０によって制御されている。
【０００３】
電子レンジとガスオーブンを同時に動作させる同時調理機能を使用する時、電子レンジ機能の高圧回路は高圧トランス１を１次側の入力を制御する制御リレー８により断続させて電子レンジの出力制御を行っていた（例えば、特許文献１参照）。このため電子レンジの出力は常に高圧トランス１によって昇圧された一定の電圧によって発生するため電子レンジ機能の出力は一定かつ最高出力しか得られなかった。ところが、調理物の過加熱を防止するためには電子レンジ機能を用いて得られる最高出力より低い出力を調理物に与える必要があり、そのための手段として前期制御リレー８を断続させ、擬似的に時間平均出力を下げて制御していた。
【０００４】
また、調理物に電子レンジの電波をムラなく吸収させ、オーブンの焼きムラを小さくするためには調理物を回転させる必要があり、同時調理時間中は常にターンテーブルモータ６を回転させるために専用の制御リレー１０を設けていた。さらに、電子レンジ高圧回路の高圧トランス１、マグネトロン２、高圧コンデンサ３と高圧ダイオード４を冷却するための冷却ファンモータ５を制御する制御リレー９を設ける回路構成となっていた。
【０００５】
【特許文献１】
特開平９−２４３０９４号公報
【０００６】
【発明が解決しようとする課題】
しかしながら、前記従来の構成では、高圧トランス１、冷却ファンモータ５、ターンテーブルモータ６を制御するために、それぞれ専用の制御リレー８、９、１０が必要となり、回路構成の簡素化ができないという課題があった。
【０００７】
本発明は、上記従来の課題を解決するもので、電子レンジ高圧回路、冷却ファンモータ、ターンテーブルモータの制御リレーを共用化し、制御回路を簡素化させてより安価な複合加熱調理機器の提供を目的とする。
【０００８】
【課題を解決するための手段】
前記従来の課題を解決するために、本発明の複合加熱調理機器は、電子レンジ高圧回路をインバーター化し、ガスオーブンとの同時調理時には電子レンジ出力を最高出力より小さい弱出力の連続出力として、電子レンジ高圧回路、ターンテーブルモータと冷却ファンモータとの動作を同期させて制御リレーを共用化するように構成したものである。
【０００９】
【発明の実施の形態】
請求項１に記載の発明は、電子レンジ機能とガスオーブン機能とを備えた複合加熱調理機器において、前記電子レンジ機能の高周波出力回路としたインバーター回路の一次側入力を入切する制御リレーと、調理中に調理物を回転させるターンテーブルモータを入切する制御リレーとを共用する構成とし、同時調理時の電子レンジ出力を最高出力よりも小さい出力の連続出力として制御リレーは同時調理時は常にＯＮ状態とした。
【００１０】
よって、制御リレーの共有により簡易な構成とすることができて、同時調理時にターンテーブルも支障なく回転し、電子レンジによる過加熱もなくなり、最適な調理が実現できる。
【００１１】
請求項２に記載の発明は、電子レンジ機能とガスオーブン機能とを備えた複合加熱調理機器において、前記電子レンジ機能の高周波出力回路としたインバーター回路の一次側入力を入切する制御リレーと、調理中に調理物を回転させるターンテーブルモータを入切する制御リレーとを共用する構成とし、同時調理機能の電子レンジ出力を最高出力または最高出力より小さい弱出力の断続出力とし、同時調理時の電子レンジ断続出力はインバーター回路へのマイコン信号により制御して、前記制御リレーは同時調理時は常にＯＮ状態とした。
【００１２】
よって、制御リレーの共有により簡易な構成とすることができて、同時調理時にはターンテーブルも支障なく回転し、電子レンジによる断続加熱によって、連続弱加熱よりも出来栄えのよい複合調理が可能となる。
【００１３】
請求項３に記載の発明は、インバーター回路の電気部品を冷却する冷却ファンモータを備え、前期冷却ファンモータを入切する制御リレーと、前記電子レンジ機能の高周波出力回路としたインバーター回路の一次側入力を入切する制御リレーと、調理物を回転させるターンテーブルモータを入切する制御リレーとを共用する構成とし、同時調理時の調理物回転と電子レンジの動作および冷却ファンモータの動作を一つのリレーで制御するようにした。
【００１４】
よって、制御リレーの共有により、さらに構成が簡易となる。また、冷却ファンモータの制御リレーと共有することにより、制御リレーが故障した場合、冷却ファンモータも作動せず、連動じてインバーター回路も作動しなくなる。これにより、制御リレーを別々に設けた場合であれば電子レンジ加熱のみが作動して以上に温度上昇して他部品を故障させるというようなことがなくなるので、安全な複合加熱調理機器を実現できる。
【００１５】
【実施例】
以下、本発明の実施例について、図１〜図３を参照しながら説明する。
【００１６】
（実施例１）
図１は本発明の第１の実施例における複合加熱調理機器の回路構成を示すものである。
【００１７】
図１において同時調理時の電子レンジ出力はインバーター回路１１への制御リレー８による電源供給とマイコン１２からの制御信号によって制御されている。同時調理時の電子レンジ出力を最高出力より小さい弱出力の連続出力とした場合、同時調理時間中は前記制御リレー８のＯＮ状態を継続することによる電源供給と、前記マイコン１２からの制御信号で所定の電子レンジ出力を得ることができる。
【００１８】
また、同時調理時の電子レンジ出力を最高出力または最高出力より小さい弱出力の断続出力とした場合には断続手段として前記制御リレー８をＯＮ−ＯＦＦ断続させる方法と前記マイコン１２の制御信号の発信を断続させる方法があるが、本実施例ではマイコン１２の制御信号を断続発信させることによって前記制御リレー８をＯＮ状態で継続させている。このことにより、同時調理時間中は前記制御リレー８がＯＮ状態を継続するため、調理物を回転させるためのターンテーブルモータ６の動作と同期させることができ、制御リレー８によってインバーター回路１１とターンテーブルモータ６の両方を制御することが可能になり、制御回路を簡素化できるという効果がある。
【００１９】
（実施例２）
図２は本発明の第２実施例における回路構成を示すものである。
【００２０】
図２において同時調理時にインバーター回路１１及びマグネトロン２を冷却するための冷却ファンモータ５の制御も制御リレー８でおこなう構成としている。前記インバーター回路１１及びマグネトロン２は電子レンジ出力時に発熱するものであり、前記インバーター回路１１への電源供給と同期させることで所定の冷却効果を得ることができる。このことにより、制御リレー８によってインバーター回路１１とターンテーブルモータ６及び冷却ファンモータ５の３部品を制御することが可能になり、実施例１の場合よりさらに制御回路を簡素化できるという効果がある。
【００２１】
【発明の効果】
以上のように、請求項１〜３に記載の発明によれば、同時調理時の電子レンジ出力とターンテーブルモータの作動を同期させることで制御リレーの数を減らすことができるので制御回路構成を簡素化することができ、安価な複合加熱調理機器を提供できる。
【図面の簡単な説明】
【図１】本発明の実施例１における複合加熱調理機器の回路構成図
【図２】本発明の実施例２における複合加熱調理機器の回路構成図
【図３】従来の複合加熱調理機器の回路構成図
【符号の説明】
５  冷却ファンモータ
６  ターンテーブルモータ
８  制御リレー
１１  インバーター回路
１２  マイコン
【図１】
2005030612.tif 000003
【図２】
2005030612.tif 000004
【図３】
2005030612.tif 000005